(57)【要約】【課題】容易に分解でき廃棄処分が簡単に行えるスピーカシステムを提供する。【解決手段】スピーカキャビネット１１を構成する前面板１、裏板２、２枚の胴板３、３、天板４および底板５を直方体に組み立て前記直方体の４個の縦方向に伸びる稜線部を４本の支柱６ｃに設けた夫々の切り欠きに７ｃ嵌合させ、前記４本の支柱を互いに離れないように固定した。【選択図】        図１
2004254161.tif 000002
【特許請求の範囲】
【請求項１】
スピーカキャビネットを構成する前面板、裏板、２枚の胴板、天板および底板を直方体に組み立て前記直方体の４個の縦方向に伸びる稜線部を４本の支柱に設けた夫々の切り欠きに嵌合させ、前記４本の支柱を互いに離れないように固定したことを特徴とするスピーカシステム。
【請求項２】
前記４本の支柱の上端または下端の少なくとも一方を板状部材に締着した請求項１のスピーカシステム。
【請求項３】
前記スピーカキャビネットの少なくとも３つの側面が前記支柱に両端が固着され張力を持たせて巻き回された弾性網状部材で覆われた請求項１または２のスピーカシステム。
【請求項４】
前記４本の支柱が２分割されており、分割された各部材をねじで締着することにより前記稜線部を挾持させた請求項１から３のいずれかに記載したスピーカシステム。
【発明の詳細な説明】
【０００１】
【発明の属する技術分野】
この発明はスピーカシステムに係わり、特に、その構造に関する。
【０００２】
【従来の技術】
従来のスピーカシステムのスピーカキャビネットの例を図６に示す。図６に示す胴板１５はロ字形状に折り曲げ可能となっており、その内面に接着剤１６が塗布され、前面板１および裏板２に接着剤１６により接着されて直方体のスピーカキャビネットが形成される。
【０００３】
特開平５−１５３６８１号公報に開示されたスピーカキャビネットは胴板を構成する基材の折り曲げ部にＶ溝が形成され、このＶ溝の部分が折り曲げられＶ溝の内面が接着されて胴板がロ字状に形成される。
【０００４】
【特許文献１】
特開平５−１５３６８１号公報（第４頁、図５〜図６）
【０００５】
【発明が解決しようとする課題】
上記した従来のスピーカキャビネットは、接着剤で固定されており、分解ができず、廃棄するときに大型の粗大ゴミとなり、廃棄処分が不便であるという問題があった。
【０００６】
この発明は上記した点に鑑みてなされたものであって、その目的とするところは、容易に分解でき廃棄処分が簡単に行えるスピーカシステムを提供することにある。
【０００７】
【課題を解決するための手段】
この発明のスピーカシステムは、スピーカキャビネットを構成する前面板、裏板、２枚の胴板、天板および底板を直方体に組み立て前記直方体の４個の縦方向に伸びる稜線部を４本の支柱に設けた夫々の切り欠きに嵌合させ、前記４本の支柱を互いに離れないように固定したものである。
【０００８】
また、前記スピーカシステムにおいて、前記４本の支柱の上端または下端の少なくとも一方を板状部材に締着したものである。
【０００９】
また、前記各スピーカシステムにおいて、前記スピーカキャビネットの少なくとも３つの側面が前記支柱に両端が固着され張力を持たせて巻き回された弾性網状部材で覆われたものである。
【００１０】
さらに、前記各スピーカシステムにおいて、前記４本の支柱が２分割されており、分割された各部材をねじで締着することにより前記稜線部を挾持させたものである。
【００１１】
【発明の実施の形態】
この発明の実施例であるスピーカシステムを図面に基づいて説明する。図１はこの発明の第１の実施例であるスピーカシステムの各部材を示す部分斜視図である。
【００１２】
図１（ｂ）に示すようにスピーカキャビネット１１は前面板１、裏板２、胴板３、３、天板４および底板５を接着することなく、直方体に組み付けた状態とされ、このように組み付けられたスピーカキャビネット１１の縦方向稜線部が図１（ａ）に示すように、支柱６ｃに設けられた切り欠き７ｃに嵌合される。
【００１３】
図１（ａ）では支柱６ｃを１本だけ示しているが、図２（ａ）および図２（ｃ）に示すように、スピーカキャビネット１１の４つの稜線部が支柱６ａ〜６ｄの夫々の切り欠き７ａ〜７ｄ（図では見えていない）に嵌合される。そして、各支柱６ａ〜６ｄの下面は図２（ｃ）に示すようにねじ１０、１０…により台座９に締着される。
【００１４】
支柱６ａと支柱６ｄには図１（ｃ）に示すようにサランネット（商品名）８の両端が接着されている。このようにしてスピーカキャビネット１１が４本の各支柱６ａ〜６ｄにより固定されるが、この状態で図３に示すように伸縮性があり、強度が高いサランネット８がスピーカキャビネット１１の３方の側面を覆い各支柱６ａ〜６ｄ間に張力を及ぼしスピーカキャビネット１１を強固に固定する。
【００１５】
このように構成されたスピーカシステムの各支柱６ａ〜６ｄはスピーカキャビネット１１を任意の高さに設定することによりスピーカスタンドとなり、さらにグリル枠の機能を果たし、サランネット８はバッフル前面を覆うネットとしての機能を果たす。また、支柱６ａ〜６ｄを締着するねじ１０、１０…を外すことにより各部材がばらばらに分解でき、容易に廃棄処分ができる。
【００１６】
なお、サランネット８はスピーカキャビネット１１を組み付けてた後、スピーカキャビネット１１の４方側面を覆うように張り付けてもよい。このうよにすることによりより強固にスピーカキャビネット１１を固定することができる。
【００１７】
図４はこの発明の第２の実施例であるスピーカシステムの各部材を示す部分斜視図である。この例では図４（ａ）に示すように支柱が下部支柱１２と上部支柱１３とに分離しており、図４（ｂ）に示すように上部支柱１３を下部支柱１２にねじ１４で締着することによりスピーカキャビネット１１を上部支柱１３を下部支柱１２の切り欠きに嵌合させてねじ１４で強固に挾持することができる。なお、図では支柱を１本だけ示しているが、４本の支柱がスピーカキャビネット１１に嵌合され第１の実施例と同様に台座に締着される。
【００１８】
図５はこの発明の第３の実施例であるスピーカシステムを異なる各使用状態で示す斜視図である。この例では第１の実施例における支柱６ａ〜６ｄの下面が台座９と上板１４に締着されている。他の構成は第１の実施例と同様である。
【００１９】
このような構成によりスピーカキャビネット１１をより強固に固定できる。また、置き方により図５（ａ）に示すように、スピーカキャビネット１１を高い位置に配置したり、図５（ｂ）に示すように、スピーカキャビネット１１を低い位置に配置することもできる。
【００２０】
【発明の効果】
この発明のスピーカシステムによれば、支柱を取り外すことにより、スピーカシステムを構成する部材をばらばらに分解でき、廃棄が容易であり、再組み立ても容易に行うことができる。
【００２１】
また、接着工程がないので組み立てが容易である。さらに、グリル枠を別途用意する必要がないので部品点数が削減される。
【図面の簡単な説明】
【図１】この発明の第１の実施例であるスピーカシステムの各部材を示す部分斜視図である。
【図２】図２（ａ）は同スピーカシステムを斜め前方から見た斜視図、図２（ｂ）は同スピーカシステムを斜め後方から見た斜視図、図２（ｃ）は同スピーカシステムを示す底面図である。
【図３】同スピーカシステムを示す部分斜視図である。
【図４】この発明の第２の実施例であるスピーカシステムの各部材を示す部分斜視図である。
【図５】この発明の第３の実施例であるスピーカシステムを示す斜視図である。
【図６】従来のスピーカシステムを示す分解斜視図である。
【符号の説明】
１  前面板
２  裏板
３  胴板
４  天板
５  底板
６ａ、６ｂ、６ｃ、６ｄ  支柱
７ａ、７ｂ、７ｃ、７ｄ  切り欠き
８  サランネット
９  台座
１０  ねじ
１１  スピーカキャビネット
１２  下部支柱
１３  上部支柱
１４  上板
１５  胴板
１６  接着剤
【図１】
2004254161.tif 000003
【図２】
2004254161.tif 000004
【図３】
2004254161.tif 000005
【図４】
2004254161.tif 000006
【図５】
2004254161.tif 000007
【図６】
2004254161.tif 000008